(57)【特許請求の範囲】
【請求項１】
ａ．袋本体の開口部内に雄型嵌合部と雌型嵌合部から成るジッパーを取り付けて成る袋において、
ｂ. 前記ジッパーの雄型嵌合部と雌型嵌合部を袋内においてそれぞれ内側から覆う内側が筒状のカバーフィルムを設け、このカバーフィルムは、その下縁側及び上縁側がそれぞれ袋本体の内面にシールされていること、
ｃ．前記袋本体は、内容物を充填したのち、前記ジッパーより外側において口部シールが施されていること、
ｄ．前記袋本体の開口部を開口するカット位置は、前記ジッパーの位置より外でカバーフィルムの上縁側のシール部及び袋本体の口部シール部より内側に設定されていること、
ｅ．前記袋本体のカット位置で袋本体をカットすると、カバーフィルムも一緒にカットされてその上縁側がフリーの状態となったままジッパーを覆い、袋本体を再密封するためにジッパーを嵌合させる際は、先にカバーフィルムのフリー側を袋本体内においてジッパーよりも内側の位置まで折り込んでジッパーの覆いを解いてジッパーを直接嵌合させ、再開封する際は、ジッパーの嵌合を解除し、折り込んだカバーフィルムのフリー側を解いてこのカバーフィルムで再度ジッパーを覆った状態で内容物を取り出すことにより、内容物あるいはこの内容物の粉体がジッパーの嵌合部に付着して嵌合強度が低下したり、シール性能が低下するのを防ぐように構成されていること、
ｆ．を特徴とするジッパー付袋。
【請求項２】
前記カバーフィルムはあらかじめ筒状に形成されていること、を特徴とする請求項１に記載のジッパー付袋。
【請求項３】
前記筒状のカバーフィルムを偏平に折った時の横幅は、袋本体の内幅よりもやや小幅に設定されていること、を特徴とする請求項１に記載のジッパー付袋。
【請求項４】
前記カバーフィルムを筒状に形成するために、２枚のフィルムの両端をシールする、又は、押し出し成形によりチューブ状に形成する、又は、１枚のフィルムの両側端を引き寄せて互いに繋ぎ合わせシールを行うことにより筒状に形成する、ことを特徴とする請求項３に記載のジッパー付袋。
【請求項５】
前記カバーフィルムに弾性のあるものを使用することにより、一旦折り込んで密封した後でジッパーを開放し、袋本体の開口部が開かれると、独りでに折り込みが解けてジッパーの雄型嵌合部と雌型嵌合部をそれぞれ覆うこと、を特徴とする請求項１乃至４のいずれか１項に記載のジッパー付袋。
【請求項６】
前記袋本体の開口部をカットすると、前記カバーフィルム側も一緒にカットされること、を特徴とする請求項１乃至５のいずれか１項に記載のジッパー付袋。
【請求項７】
前記袋本体の内面にカバーフィルムの上下端縁をヒートシールする際、カバーフィルムの内面同士がヒートシールされないようにセパレータを挟み込んで袋本体の外側からヒートシールバーを当ててヒートシールされていること、を特徴とする請求項１乃至６のいずれか１項に記載のジッパー付袋。
【発明の詳細な説明】
【技術分野】
【０００１】
本発明は、開口部内に雄型嵌合部と雌型嵌合部から成るジッパーを取り付けた袋及びその製法に関し、更に詳しくは、特に雌型嵌合部内に粉体が入り込んで嵌合強度が低下したりするのを防ぐことができると共に専用の自動充填機ではなく、一般の自動充填機によりジッパー付袋内に内容物を自動充填することができるジッパー付袋及びその製法に関する。
【背景技術】
【０００２】
ジッパー付袋において、粉体を充填したときにこの粉体がジッパーの特に雌型嵌合部内に入り込んで嵌合不良等の障害が発生するのを防止するために、ジッパーの雄型嵌合部と雌型嵌合部をカバーフィルムにて外側から覆い、嵌合はこのカバーフィルムで覆ったまま行う内容の発明が特開２００２−１７３１５４号公報に招介されている。
【０００３】
しかし、このように、嵌合部をカバーフィルムで覆ったままで嵌合を行うようにすると、嵌合したときにカバーフィルムが雄型と雌型嵌合部の表面に介在するため、嵌合強度が低下して密封性が悪くなったり、小さな力で嵌合が外れたりしてしまうことがある。
【０００４】
また、ジッパーを再密封するときは、普通はこの再密封が完全に行われたか否かを指先の感触とパチンという嵌合音を確認して判断しているが、カバーフィルムが嵌合部に介在していると、この両方とも確認がしにくく、使い勝手が悪くなるという問題がある。
【０００５】
また、カバーフィルムで嵌合部を覆っていることから、嵌合部に粉体が付着したり入り込むのを防ぐことはできるが、カバーフィルム自体の表面に粉体が付着するのを防ぐことはできないため、このカバーフィルムの表面に付着した粉体で嵌合強度が低下するのを防ぐことはできない。
【０００６】
特にカバーフィルムに静電気が発生し、帯電していると、粉体はますます付着しやすくなる。
【０００７】
次に、ジッパー付袋であって、スタンディングパウチ用の自動充填機の場合は、製袋過程で咬合されているジッパーを一旦開封し、内容物を充填したのち、再度ジッパーを咬合し、その上でジッパーの外側の充填口をヒートシールする構成の専用機が必要となるため、設備に費用がかかるという問題がある。
【先行技術文献】
【特許文献】
【０００８】
【特許文献１】特開２００２−１７３１５４号公報
【発明の概要】
【発明が解決しようとする課題】
【０００９】
本発明の第１の目的は、ジッパー付袋において、粉体が嵌合部に付着せず、またジッパーを再密封した時に嵌合強度が低下せず、更に嵌合したことを指先の感触と音で確認することができるジッパー付袋を提供することである。
【００１０】
更に第２の目的は、専用の自動充填機ではなく、一般の自動充填機を用いてジッパー付袋に自動充填を行うことができるジッパー付袋の製法を提供することである。
【課題を解決するための手段】
【００１１】
上記課題を解決するため、請求項１に記載の発明は、ジッパー付袋において
ａ．袋本体の開口部内に雄型嵌合部と雌型嵌合部から成るジッパーを取り付けて成る袋において、
ｂ. 前記ジッパーの雄型嵌合部と雌型嵌合部を袋内においてそれぞれ内側から覆う内側が筒状のカバーフィルムを設け、このカバーフィルムは、その下縁側及び上縁側がそれぞれ袋本体の内面にシールされていること、
ｃ．前記袋本体は、内容物を充填したのち、前記ジッパーより外側において口部シールが施されていること、
ｄ．前記袋本体の開口部を開口するカット位置は、前記ジッパーの位置より外でカバーフィルムの上縁側のシール部及び袋本体の口部シール部より内側に設定されていること、
ｅ．前記袋本体のカット位置で袋本体をカットすると、カバーフィルムも一緒にカットされてその上縁側がフリーの状態となったままジッパーを覆い、袋本体を再密封するためにジッパーを嵌合させる際は、先にカバーフィルムのフリー側を袋本体内においてジッパーよりも内側の位置まで折り込んでジッパーの覆いを解いてジッパーを直接嵌合させ、再開封する際は、ジッパーの嵌合を解除し、折り込んだカバーフィルムのフリー側を解いてこのカバーフィルムで再度ジッパーを覆った状態で内容物を取り出すことにより、内容物あるいはこの内容物の粉体がジッパーの嵌合部に付着して嵌合強度が低下したり、シール性能が低下するのを防ぐように構成されていることを特徴とするものである。
【００１２】
更に、請求項２に記載の発明は、請求項１に記載のジッパー付袋において、前記カバーフィルムはあらかじめ筒状に形成されていることを特徴とするものである。
【００１３】
更に、請求項３に記載の発明は、請求項１に記載のジッパー付袋において、前記筒状のカバーフィルムを偏平に折った時の横幅は、袋本体の内幅よりもやや小幅に設定されていることを特徴とするものである。
【００１４】
更に、請求項４に記載の発明は、請求項３に記載のジッパー付袋において、前記カバーフィルムを筒状に形成するために、２枚のフィルムの両端をシールする、又は、押し出し成形によりチューブ状に形成する、又は、１枚のフィルムの両側端を引き寄せて互いに繋ぎ合わせシールを行うことにより筒状に形成した構成からなることを特徴とするものである。
【００１５】
更に、請求項５に記載の発明は、請求項１乃至４に記載のいずれか１項に記載のジッパー付袋において、前記カバーフィルムに弾性のあるものを使用することにより、一旦折り込んで密封した後でジッパーを開放し、袋本体の開口部が開かれると、独りでに折り込みが解けてジッパーの雄型嵌合部と雌型嵌合部をそれぞれ覆うことを特徴とするものである。
【００１６】
更に、請求項６に記載の発明は、請求項１乃至５に記載のいずれか１項に記載のジッパー付袋において、前記袋本体の開口部をカットすると、前記カバーフィルム側も一緒にカットされることを特徴とするを特徴とするものである。
【００１７】
更に、請求項７に記載の発明は、請求項１乃至６に記載のいずれか１項に記載のジッパー付袋において、前記袋本体の内面にカバーフィルムの上下端縁をヒートシールする際、カバーフィルムの内面同士がヒートシールされないようにセパレータを挟み込んで袋本体の外側からヒートシールバーを当ててヒートシールされていることを特徴とするものである。
【発明の効果】
【００１８】
１．請求項１の発明によると、開口部内のジッパーは、内容物の充填時及び袋の開口部
のヒートシール後、及び内容物の取り出し時にはカバーフィルムにより覆われている 。
この結果、ジッパーには、一切内容物、例えば粉体が付着することはないため、ジ ッパー嵌合強度が不足したり、密封性が損なわれたりしない。
【００１９】
また、袋の開口部をカットすると、カバーテープの上縁側のシール部も一緒にカッ ト又は別にカットしてカバーテープの上縁側をフリーとすることができるため、ジッパーの再密封時には、カバーテープの上縁側をジッパーより中の部分まで折りこむこ とができる。
この結果、ジッパーの再嵌合時には、内容物が全く付着していない状態で嵌合がで
きるため、嵌合強度を当初の設計通り確保することができると共に密封性能が低下す
ることもない。
【００２０】
更に、ジッパーを嵌合する際は、雄型と雌型の嵌合部が直接嵌合するため、指先の 感触とパチンという音で嵌合を確認することができる。
【００２１】
更に、袋本体内に自動充填する際、ジッパーは開いたままであり、かつカバーフィ ルムにより覆われているため、充填時には閉じたままの状態でジッパーが袋の開口部内に取り付けられている従来のジッパー付袋のように、自動充填時にジッパーを一旦 開く必要がない。
【００２２】
更に、内容物を充填し、開口部をシールする際、本発明のジッパー付袋によると、 ジッパーを開いたままで開口部をシールすることができ、公知の自動充填機のように、開口部のシール時に再度ジッパーを閉じる必要がない。
この結果、専用の自動充填機ではなく、一般の自動充填機を用いて内容物を自動充 填することができるため、専用の自動充填機を新らたに設備する必要がないことから、設備コストがかからず、工場においては設置床面積を確保する必要がない。
【００２３】
２．請求項２〜４に記載の発明によると、カバーフィルムを袋本体内に取り付けるのが 簡単になる。
【００２４】
３．請求項５に記載の発明によると、袋本体のジッパーを開くと、折り込まれていたカ バーフィルムが独りでに解けて開口するため、いちいち折り込んだ部分のカバーフィルムを指先で引き返す必要がなく、便利である。
【００２５】
４．請求項６に記載の発明によると、袋の開封とカバーフィルムのカットが同時に行わ れるため、手間がかからず便利である。
【００２６】
５．請求項７に記載の発明によると、カバーフィルムを袋本体の内面にヒートバーを用 いた熱融着法（ヒートシール法）によりシールすることができるため、現在使用して いる袋の外観を変更することなく、後付けが可能である。
【図面の簡単な説明】
【００２７】
【図１】本発明を実施した自立タイプのジッパー付袋の正面図である。
【図２】Ａ−Ａ´線断面図である。
【図３】内容物を充填し、開口部をシールした状態の袋の断面図である。
【図４】袋を図３のカット線でカットして開封した状態の説明図である。
【図５】袋内から内容物を出している状態の説明図である。
【図６】カバーフィルムのフリー側をジッパーより中で折り込み、ジッパーを閉じた 状態の説明図である。
【図７】カバーフィルムの形態を示し、（Ａ）は二方シールにより円筒状に形成した 正面図、（Ｂ）はＢ−Ｂ´線断面図である。
【図８】カバーフィルムの形態を示し、（Ａ）はチューブ状に押し出し成形した正面 図、（Ｂ）はＣ−Ｃ´線断面図である。
【図９】カバーフィルムの形態を示し、（Ａ）はフィルムの両端を引き寄せてシール を行い、円筒状に形成した正面図、（Ｂ）はＤ−Ｄ´線断面図である。
【図１０】２枚のカバーフィルムのおいて、ジッパーに係る部分であって、袋本体の 両サイドのシール部の内側に円弧状に形成した説明図である。
【図１１】カバーフィルムの状態を示す説明図であって、（Ａ）は上下に突出部を形 成した例、（Ｂ）は下部にのみ突出部を形成した例である。
【図１２】図１１（Ａ）に示すカバーフィルムを取り付けた袋本体の説明図である。
【図１３】カバーフィルムの取り付け方法の一例を示す説明図である。
【発明を実施するための形態】
【００２８】
本発明は、袋の口内に再密封用であって、繰り返し使用できるジッパーを取り付けた袋に適用される。袋の形態としては、カゼットタイプ、角底タイプあるいは三方シール、二方シール、ピロータイプ、スタンディングタイプ等に適用が可能である。
袋は、熱融着（ヒートシール）法で製袋された樹脂フィルム製を基本としているが、接着材を用いてシールを行ない、製袋される樹脂フィルム袋にも適用が可能である。
【００２９】
本発明に用いられるジッパーは、雄型嵌合部と雌型嵌合部をベーステープにそれぞれ形成したタイプ、あるいは、表フィルムと裏フィルムの内面に直接雄型嵌合部と雌型嵌合部を形成した形態の双方を含む。
【００３０】
袋本体を形成するフィルムは、ヒートシール法で製袋されるものにあっては、それぞれの接合面はヒートシール可能な材質のフィルムがラミネートされていて、それぞれの用途の適正に合わせた複合フィルムが用いられる。これらの材質及び複合は、従来から公知のものであって、本発明においては特別なものではない。
ジッパーも一般にはポリプロピレン製、又はポリエチレン製であり、本発明においては格別なものが使用される訳ではない。
【実施例１】
【００３１】
図１〜図１０に基づいて本発明の実施例を詳細に説明する。
袋本体１には、開口部２内に雄型嵌合部４と雌型嵌合部５を形成したジッパー３が取り付けられていると共にこの雄型と雌型嵌合部４、５の外には、それぞれの嵌合部４、５を覆うようにカバーフィルム６、７がその上下縁はそれぞれ表フィルム１ａと裏フィルム１ｂの内面にシール８、９されている。
【００３２】
なお、カバーフィルム６、７は、図７〜図９に示すように円筒形状を呈し、両サイドは閉塞されていて、袋本体１内において、ジッパー３を覆っている。
【００３３】
図１、２において、１０は袋本体１内の底部に挿入された逆Ｖ字状の底フィルムであって、この底フィルム１０を挿入することにより、袋本体１の底を舟形に拡大して自立させることができる。
【００３４】
但し、この底の形状は、本発明において限定されるものではなく、ガゼット袋或いは三方シール袋、ピロー包装袋等にも本発明は適用である。
上記構成の袋本体１内に内容物ａを充填し、袋本体１の開口部２をヒートシール１１した状態を示したのが図３であって、図２の状態で内容物ａを充填する際にカバーフィルム６、７で雄型嵌合部４と雌型嵌合部５が覆われている。また、内容物ａを充填し、開口部２をヒートシール１１した後もジッパー３はカバーフィルム６、７で覆われていて、内容物ａから隔離されている。
この結果、ジッパー３に内容物ａが触れることはない。
【００３５】
開封のために図３のカット線で袋本体１をカットすると、カバーフィルム６、７も一緒にカットされることにより袋本体１は図４に示すように開口し、カバーフィルム６、７は上端側６ａ、７ａがフリーとなる。
【００３６】
このことから、カバーフィルム６、７は、独りで袋本体１内に倒れ込んだりしないようにある程度の自立性（弾性）が必要である。
【００３７】
このようにして開封した袋本体１を傾斜させて中から内容物ａを取り出している状況を図５に示す。
【００３８】
そして、再度袋本体１を密封した状態を図６に示し、この密封に際しては、カバーフィルム６、７の上部のフリー側６ａ、７ａをジッパー３より中側（下側）まで折り込み、その上でジッパー３を閉じる。このようにすることで、ジッパー３は再密封したときにおいても内容物ａから隔離されている。
【００３９】
再び袋本体１を開封する場合には、ジッパー３を開くと、カバーフィルム６、７の折り込み１２部分の押えが解放されることから、折り込み１２部分は独りでにその弾性により図４に示した様に復元して自立する。
【００４０】
なお、カバーフィルム６、７に自立する復元力がない場合には、指先を開口部２内に入れて折り込み１２部分を引き起こす。
【００４１】
図１０は、前記した円筒状のカバーフィルム６、７において、ジッパー３に係る両サイドの部分を円弧状にカットしたカット部１４を形成した形態を示し、この形態により表フィルム１ａと裏フィルム１ｂとの両サイドのシール分部の薄間化が可能である。
【００４２】
なお、カバーフィルム６、７は両サイドが閉じられた円筒状に形成されていることが条件であるが、この円筒状に形成する方法としては、図７の二方シールにより、図８のチューブ状押し出しにより、図９のテープ１３挿入方式等がある。
【００４３】
また、図１１（Ａ）に示すように筒状の両サイド上下に袋本体側のサイドシール（後述の縦シール１７）に係るように突出部８ａ、９ａを形成したもの、あるいは（Ｂ）に示すように下部にのみ突出部８ａを形成したもの等も考えられ、図１２にこの一例として、図１１（Ａ）のカバーフィルム６、７を取り付けた袋本体１を示し、突出部８ａと９ａは袋本体１のサイドシール部にかかってシールされている。
【参考例】
【００４４】
本参考例は、本発明のジッパー付袋のカバーフィルムの取り付け方法の一例を示すものであって、図１２にその概略が示されている。
先ず、長手方向の内面に雄型嵌合部４を形成したジッパーテープ３を貼り合わせた表フィル１ａと同じように雌型嵌合部５を形成したジッパーテープ３を貼り合わせた裏フィルム１ｂをそれぞれ繰り出すと共にこの表フィルム１ａと裏フィルム１ｂの内面であって、その中央に筒状のカバーフィルム６、７を繰り出し、このカバーフィルム６、７には横断する方向にパターンシール１５を等間隔で行い、更にこのパターンシール１５の中央部には打ち抜き１６を形成すると共にジッパーテープ３を前記打ち抜き部１６を横断するように位置を決め、その上で前記打ち抜き部１６の中央であって、表フィルム１ａとカバーフィルム６のパターンシール部１５の中央及び裏フィルム１ｂとカバーフィルム７をそれぞれヒートシールを行うと共に前記パターンシール部１５の打ち抜き部１６において、更にカバーフィルム６、７から外れた部分において表フィルム１ａと裏フィルム１ｂを横断するようにして袋本体１の縦シール１７を行い、その上でこの縦シール１７の中央をカットすることによりカバーフィルム６、７を取り付ける。
但し、この製袋例は一例であって、その他、当業者が容易に考えられる製袋例を除外するものではない。
【図１】
0005474446.tif 000002
【図２】
0005474446.tif 000003
【図３】
0005474446.tif 000004
【図４】
0005474446.tif 000005
【図５】
0005474446.tif 000006
【図６】
0005474446.tif 000007
【図７】
0005474446.tif 000008
【図８】
0005474446.tif 000009
【図９】
0005474446.tif 000010
【図１０】
0005474446.tif 000011
【図１１】
0005474446.tif 000012
【図１２】
0005474446.tif 000013
【図１３】
0005474446.tif 000014